(57)【要約】【課題】漏斗状誘導具を固定したまま、被包装物を容易に袋体に挿入できるよう、袋体口を極めて簡単に開口できるようにした包装用補助装置を提供すること。【解決手段】弾性アーム２７の把手２７ｃに手指を入れ反時計回りに回動して、袋保持体２３に垂下されている一枚目の袋体３１の表面側生地体３２に粘着部材２９ａを押庄して表面側生地体３２の上縁部に付着させ、次いで、弾性アーム２７を時計方向へ回動すると、表面側生地体３２の両側端が切込みが設けられて裏面側生地体３３から離隔しているので、表面側生地体３２の上縁部３２ａは、屈曲して誘導具２６の下端面に接しながら潜り抜け、自身の復元力により元の状態にもどり、袋体口が開口すると共に、誘導具２６が開口内に位置し、該誘導具が袋体口に挿入された状態になる【選択図】　図４
2004106875.tif 000002
【特許請求の範囲】
【請求項１】
支柱等に固定され被包装物を袋体内へ誘導する誘導具と、前記誘導具に近接設置され上縁部に開口部を有する袋体を垂下状態で離脱可能に保持する袋保持体と、前記袋体の表面側生地体を付着して袋体口を開口する粘着部材を有する開口手段とを備え、前記開口手段を操作することにより前記粘着部材に袋体の表面側生地体を付着させて袋体の裏面側生地体から離隔させ、前記誘導具の下端部の近傍で袋体口を開口させるようになしたことを特徴とする包装用補助装置。
【請求項２】
前記袋保持体の位置を、該袋体保持具に垂下させた袋体口が前記誘導具の下端部より上側に位置するようになし、前記開口手段を操作することにより前記粘着部材に袋体の表面側生地体を付着させ、前記表面側生地体を前記誘導具の下端部を潜らせて袋体の裏面側生地体から離隔させ、前記袋体口を開口させるようになしたことを特徴とする請求項１記載の包装用補助装置。
【請求項３】
前記誘導具の支持体が、同一乃至異なる大きさの誘導具を着脱自在に取替えできるものであることを特徴とする請求項１記載の包装用補助装置。
【請求項４】
前記粘着部材は、前記袋体と平行な支軸を中心に回動可能な状態で前記開口手段に取付けられていることを特徴とする請求項１〜３の何れかに記載の包装用補助装置。
【請求項５】
前記支柱等に該支柱の軸等に対して直角な方向に回転可能な回転体を設け、前記回転体に複数の同一又は大きさの異なる袋保持体を取付け、前記回転体を回転させることにより前記各袋保持体を前記誘導具に対峙できるようになしたことを特徴とする請求項１〜４の何れかに記載の包装用補助装置。
【請求項６】
前記請求項１〜５の何れかの包装用補助装置に使用される袋体であって、この袋体は、表面側生地体とこの表面側生地体より若干長い裏面側生地体とを長手方向で重ね合わせ、重ね合わせた前記表面側及び裏面側生地体の両側部及び底部をそれぞれシールし、この底部と反対側の表面側生地体の一端部を開放して開口部を形成した細長袋体からなり、該細長袋体の開口部横の少なくとも表面側生地体の両側に切込み部を設け、この切込みの下方端が前記誘導具の下端部と同じ位置乃至はそれよりは下に位置する長さであることを特徴とする包装用袋。
【発明の詳細な説明】
【発明の属する技術分野】
本発明は、なす、きゅうり、ほうれん草などの蔬菜類や果物類、花卉、鉢植え草花などを包装袋で包装する作業に用いる包装用補助装置に関する。
【０００１】
【従来の技術】
スーパーマーケットなどで販売されている蔬菜類や果物などは、透明なプラスチックスフィルムで形成された包装袋内に収容され、包装袋の上縁部を接着テープなどで結束した状態で商品棚などに陳列されている。これらの商品の包装作業は、疏莱類や果物などを生産者から集荷し、スーパーマーケットなどに納入するまでの過程で行われている。
【０００２】
従来、これらの包装作業は、全て手作業で行われていたため、この作業に多大な労力と時間が費やされていた。そして、この手作業を軽減するために幾つかの改良された包装装置が開発されている。
【０００３】
本出願人は、このような状況を改善するために包装用補助装置を開発し、特願２００２−１３６０６８号として特許出願を行っている。
【０００４】
この包装用補助装置は、図７に示すように、包装作業場の床面や作業台などの上に載置可能な基台２に支柱３が立設され、柔軟なフィルム材で形成され上縁部に開口部を有する複数の袋体４を離脱可能に保持する袋保持部５が支柱３の上端に固定された取付板１２の正面に設けられ、また支柱３の上端に立設された支軸固定板８には、誘導具アーム６が支軸７を介して回動可能に取付けられ、更に支柱３の下端付近には、円弧形状の開口部材９が支軸９ａを介して回動可能に取付けられている。
【０００５】
誘導具アーム６の正面側端部には、漏斗状誘導具１３が取付けられている。また開口部材９の正面側端部には円弧形状の弾性部材１０が取付けられ、この弾性部材１０の凹面部分には、袋体４の一部を着脱可能に吸着する粘着部材１１が貼着されている。更に積層された複数の袋体４が袋保持板１５の正面側に垂下状態に保持されている。
【０００６】
この包装用補助装置１を使用して袋体４に被包装物を詰めるには、先ず、開口部材９を反時計回りに回動させ、袋保持部５に垂下状態で保持されている袋体４の表側上縁部４ａに粘着部材１１を押庄・接触させる。この接触により、弾性部材１０が直線形状に変形して粘着部材１１が表側上縁部４ａに接着する。このとき、誘導具アーム６も開口部材９と同じ方向に回動するので、漏斗状誘導具１３は、袋保持部５の上方へ上昇移動する。
【０００７】
その後で、開口部材９を時計回りに回動させると、弾性部材１０に対する押圧力が解除され、袋体４の表側上縁部４ａが粘着部材１１に接着された状態で弾性部材１０が円弧形状に復元するとともに、裏側上縁部４ｂから離隔するので、袋体４の表側上縁部４ａが徐々に開かれていく。このとき、誘導具アーム６も時計回りに回動するので、漏斗状誘導具１３が徐々に下降していき、漏斗状誘導具１３の下部が、袋体４の開口部から袋内へ挿入された状態となる。
【０００８】
この状態において、被包装物を漏斗状誘導具１３の上面開口部へ投入すれば、被包装物は漏斗状誘導具１３の内周面に沿って落下していき袋体４内へ挿入される。袋体４内への被包装物の挿入が完了したら、袋体４の底部を落下防止具１６から離脱させるとともに、袋体４全体を下方へ引っ張れば、表側上縁部４ａが粘着部材１１から離脱するとともに、係止部材１４が挿通された係止孔４ｃの上部から亀裂が生じ、袋保持部５から袋体４を離脱させることができる。
【０００９】
【発明が解決しようとする課題】
しかしながら、この包装用補助装置では、袋体口を開き、その開口の度に漏斗状誘導具１３を袋体４の開口部へ挿入する機構になっている。このため、漏斗状誘導具１３を袋体４の開口部へ挿入する作業は手間が掛かり、しかも、漏斗状誘導具１３には漏斗状誘導具１３を回動する機構が必要であった。また、漏斗状誘導具１３が誘導アーム６の先端に一体に固定されているため大きさの異なる袋体に適合できず、更に袋保持部に垂下できる袋体の枚数にも限度があった。
本発明は、このような従来技術が抱えている課題を解消することに着目してなされたものである。
【００１０】
すなわち、本発明の目的は、漏斗状誘導具を固定したまま、被包装物を容易に袋体に挿入できるよう、袋体口を極めて簡単に開口できるようにした包装用補助装置を提供することにある。
【００１１】
また、本発明の更なる目的は、漏斗状誘導具を固定したまま、袋体口を開口するだけで該誘導具が袋体口内に挿入された状態となるようにした包装用補助装置を提供することにある。
また、本発明の別の目的は、同一サイズ及び種類、或いは異なるサイズ及び種類の包装用袋を併用して使用できるようにした包装用補助装置を提供することにある。
【００１２】
また、本発明の更なる別の目的は、上記包装用補助装置に使用する包装用袋を提供することにある。
【００１３】
【課題を解決するための手段】
前記目的は、以下の手段によって達成できる。すなわち、本発明の第１の態様によれば、支柱等に固定され被包装物を袋体内へ誘導する誘導具と、前記誘導具に近接設置され上縁部に開口部を有する袋体を垂下状態で離脱可能に保持する袋保持体と、前記袋体の表面側生地体を付着して袋体口を開口する粘着部材を有する開口手段とを備え、前記開口手段を操作することにより前記粘着部材に袋体の表面側生地体を付着させて袋体の裏面側生地体から離隔させ、前記誘導具の下端部の近傍で袋体口を開口させるようになした包装用補助装置が提供される。係る態様によれば、誘導具を固定したままでも、袋体口を極めて簡単に開口でき、しかも被包装物を容易に袋体内へ入れることができるようになる。
【００１４】
また、係る態様においては、前記袋保持体の位置を、該袋体保持具に垂下させた袋体口が前記誘導具の下端部より上側に位置するようになし、前記開口手段を操作することにより前記粘着部材に袋体の表面側生地体を付着させ、前記表面側生地体を前記誘導具の下端部を潜らせて袋体の裏面側生地体から離隔させ、前記袋体口を開口させるようになすことが好ましい。係る態様によれば、誘導具を固定したままでも袋体口を開口するだけで誘導具の下端が袋体の開口内に挿入された状態となしえるので、被包装物を袋体内に入れる際にミスすることが少なくなる。
【００１５】
更には、前記誘導具の支持体が、同一乃至異なる大きさの誘導具を着脱自在に取替えできるものとなすことが好ましい。係る態様によれば、被包装物や袋体の大きさに応じて最適な大きさの誘導具を選択できるようになる。
【００１６】
また、前記粘着部材は、前記袋体と平行な支軸を中心に回動可能な状態で前記開口手段に取付けられていることが好ましい。係る態様によれば、該粘着部材に付着した袋体の表面側生地体を剥がすときに、粘着部材が回転して少しずつ少ない力で剥がすことができるので、袋体に損傷を与えることが少なくなる。
【００１７】
本発明の別の態様によれば、前記支柱等に該支柱の軸等に対して直角な方向に回転可能な回転体を設け、前記回転体に複数の同一又は大きさの異なる袋保持体を取付け、前記回転体を回転させることにより前記各袋保持体を前記誘導具に対峙できるようになした包装用補助装置が提供される。係る態様によれば、多量の同じ大きさの袋体を保持させたり、異なる大きさの袋体を保持させたりすることができるようになる。
【００１８】
また、本発明の更なる別の態様によれば、前記包装用補助装置に使用される袋体であって、この袋体は、表面側生地体とこの表面側生地体より若干長い裏面側生地体とを長手方向で重ね合わせ、重ね合わせた前記表面側及び裏面側生地体の両側部及び底部をそれぞれシールし、この底部と反対側の表面側生地体の一端部を開放して開口部を形成した細長袋体からなり、該細長袋体の開口部横の少なくとも表面側生地体の両側に切込み部を設け、この切込みの下方端が前記誘導具の下端部と同じ位置乃至はそれよりは下に位置する長さである包装用袋が提供される。係る態様によれば、誘導具を固定したままでも袋体口を開口するだけで誘導具の下端が袋体の開口内に挿入された状態となしえる袋体が得られる。
【００１９】
本発明においては、袋保持体に予め複数枚の包装用袋を垂下し、開口手段を回動して、袋保持体に垂下されている一枚目の袋体の表面側生地体に粘着部材を押庄して表面側生地体の上縁部に付着させる。このとき粘着部材は、表面側生地体の開口部に近い上縁部に付着されることになる。
【００２０】
次いで、粘着部材を表面側生地体の上縁部を吸着させて弾性アームを時計方向へ回動する。すると、表面側生地体が粘着部材に付着した状態で引張られることになるが、表面側生地体の両側端に切込みが設けられて裏面側生地体から離隔できるようになされているので、表面側生地体の上縁部は、屈曲して誘導具の下端面に接しながら潜り抜けることができる。表面側生地体の上縁部が誘導具の下端面を潜り抜け、粘着部材が取り去られると、上縁部は自身の復元力により元の状態にもどり、袋体口が開口すると共に、誘導具が開口内に位置し、該誘導具が袋体口に挿入されたことになる。
【００２１】
また、本発明においては、袋体の上縁部が誘導具の下端面と接し或いは若干離れた位置になるように袋体を垂下してもよく、この場合は切込みが設けられていない袋体を使用でき、しかも開口手段により、誘導具の下端面で袋体口を簡単に開口することができるようになる。
【００２２】
【発明の実施の形態】
本発明の実施の形態を図面を参照して説明する。なお、本発明は、図面に記載された形態に限定されることなく、特許請求の範囲に記載された発明の範囲で種々の変更が可能であり、それらも本発明の範囲に包含されることは言うまでもない。
【００２３】
図１は、本発明の一実施形態の包装用補助装置を示す外観斜視図、図２は、図１の包装用補助装置に使用する袋体を示す正面図、図３は図１の包装用補助装置を正面から見た正面図である。
【００２４】
本発明の包装用補助装置２０は、包装作業場の床面や作業台などの上に載置可能な基台２１に支柱２２が立設され、この支柱２２の上端部には取付部材２３が固定され、更にこの取付部材２３に複数枚の袋体を垂下する支持バー２３ａ、２３ａ’が固定されている。また、取付部材２３には、アーム２５の一端が固定され、該アーム２５の他端に誘導具２６が一体に固定されている。
【００２５】
図１に示した誘導具２６は、アーム２５の先端に一体に固定されているが、取外し自在に固定してもよい。この取外し自在な固定は、公知の任意な手段を用いるが、例えばアーム２５の先端部を環状枠体（図示省略）で形成しておき、この環状枠体に筒状誘導具を嵌合させるようにすればよい。このように誘導具を着脱自在に装着できるようにすることにより、同一乃至異なる大きさの誘導具を用意しておき、袋体の大きさ或いは被包装物の種類に応じて、誘導具を適当なものに取替えることができる。
【００２６】
また、支柱２２には袋体口を開口する開口手段が設けられる。この開口手段は、一端２７ａが支柱２２の根元部２２ａに固定された弾性を有する円弧形状のアーム２７と、このアーム先端部２７ｂに固定された粘着手段とからなる。この粘着手段は、アーム先端に固定された支持部材２８と、この支持部材２８に回動可能に軸支された回転体２９と、この回転体の外周に付設された粘着部材２９ａと、及び粘着部材２９ａが露出した面とは反対方向において支持部材２８に取付けられた把手２７ｃとからなる。粘着部材には、アクリルゴムなどの合成ゴム類或いはＰＶＡ（ポリビニルアルコール）が好適である。
【００２７】
本発明の包装用補助装置２０に使用される包装用袋３０は、図２に示すように、なす、きゅうり、ほうれん草などの蔬菜類や果物類、花卉、鉢植え草花などを詰めることができるように、所定の横幅と、この横幅に比べて縦幅が若干長い細長封筒状の袋体３１からなり、例えばポリエチレンフフィルム、ポリプロピレンフィルム、ナイロンフィルム、ポリエステルフィルム等の合成樹脂フィルムを素材として、細長く形成された表面側生地体３２と、この表面側生地体３２の裏面側に配置され、同表面側生地体と同一幅で、若干長く形成された裏面側生地体３３とで形成されている。
【００２８】
表面側生地体３２、裏面側生地体３３は、同一素材でも、或いは異なる素材でもよく、また、透明、半透明乃至不透明材料でもよく、更に該素材は、上記の合成樹脂フィルムに限定されることなく、紙類を使用してもよい。
【００２９】
この袋体３１は、前記表面側生地体３２と前記裏面側生地体３３とが重ね合わされた状態で両生地体３２、３３の両側部及び底部が熱シールや接着剤等により密閉され、前記表面側生地体３２は底部と反対の一端部３２ａが開放され、この部分に開口部３４が設けられ細長封筒状に形成される。
【００３０】
また、前記裏面側生地体３３は、上端が所定長さのところで折返され前記裏面側生地体３３の端部側上面に接合され、この折返し面３７に支持バー２３ａ、２３ａ’を挿入して袋体３１を垂下するための複数の開孔３５ａ、３５ａ’が形成されている。該各開孔３５ａ、３５ａ’には折返し端に向けてミシン目３６ａ、３６ａ’が設けられ、袋体３１を袋保持体２３の支持バー２３ａ、２３ａ’（図１参照）に垂下したとき、該袋体３１を引っ張るとこのミシン目から破断して、該袋体３１の引離しが容易になるようにする。
【００３１】
開口部３４には、端部の両端、すなわち前記表面側生地体３２と前記裏面側生地体３３とを重ね合せた両側に、所定大きさの切込み３２ｂ、３２ｂ’が形成される。この切込みは、前記表面側生地体３２及び前記裏面側生地体３３のうち、少なくとも前記表面側生地体３２に形成される。勿論、両生地体に設けてもよい。この切込み形状は、任意の形状、例えば、円弧状、半円形状、三日月形状、角型形状でもよく、単に両側端面を接着しない状態としたものでもよい。これらの形状は、袋体を構成する材料、厚み等により任意に選択される。
【００３２】
すなわち、袋保持体２３に袋体３１が吊下された状態で誘導具２６の下端が切込み端３２ｃ、３２ｃ’に近い位置に設けられていると、袋体の表面側生地体３２が粘着部材２９ａに付着されて前方に引張られたとき、表面側生地体３２の端片は、屈曲しながら誘導具２６の下端を通り、袋体の開孔が開き、その結果、誘導具２６が袋体の開口内に挿入されることになる。したがって、表面側生地体３２の端片が、屈曲しながら誘導具２６の下端を通り抜けることができる。なお、切込み３２ｂ、３２ｂ’は袋体を構成する材料、厚み等により、屈曲が容易で袋体が破損しないように設ける。
【００３３】
次に、図４、５を参照して、本発明の包装用補助装置の使い方について説明する。図４は、図１の包装用補助装置を側面からみた袋体口を開口させる状況を説明する側面図、図５は、図１の包装用補助装置を正面からみた袋体口を開口させる状況を説明する正面図である。
【００３４】
図１に示すように、袋保持体２３の支持バー２３ａ、２３ａ’に予め複数枚の包装用袋３０を垂下する。この包装用袋を袋保持体２３に垂下する際、袋体の切込み端３２ｃ、３２ｃ’が誘導具２６の下端面とほぼ同一乃至下側に位置するように垂下して置く。
【００３５】
この袋体３１の垂下状態において、図４（Ａ）に示すように弾性アーム２７の把手２７ｃに手指を入れ反時計回りに回動して、袋保持体２３に垂下されている一枚目の袋体３１の表面側生地体３２に粘着部材２９ａを押庄して表面側生地体３２の上縁部に付着させる。このとき粘着部材２９ａは、図５（Ａ）に示すように、表面側生地体３２の開口部３４に近い上縁部に付着されることになる。
【００３６】
次いで、図４（Ｂ）に示すように粘着部材２９ａを表面側生地体３２の上縁部を付着させて弾性アーム２７を時計方向へ回動する。すると、表面側生地体３２が粘着部材に付着されて引張られることになるが、表面側生地体３２の両側端が切込みが設けられて裏面側生地体３３から離隔しているので、図４（Ｂ）、図５（Ｂ）に示すように表面側生地体３２の上縁部３２ａは、屈曲して誘導具２６の下端面に接しながら潜り抜ける。表面側生地体３２の上縁部３２ａが誘導具２６の下端面を潜り抜けると、図４（Ｃ）、図５（Ｃ）に示すように、上縁部３２ａは自身の復元力により元の状態にもどり、袋体口が開口すると共に、誘導具２６が開口内に位置し、該誘導具が袋体口に挿入された状態になる。
【００３７】
図４、５に示した袋保持体２３には、袋体の切込み端３２ｃ、３２ｃ’が誘導具２６の下端面とほぼ同一の位置になるように垂下したが、誘導具２６の下端面が袋体３１の上縁部３２ａよりも下にあれば同様の作用・効果を奏することができる。
【００３８】
また、本発明においては、袋体３１の上縁部３２ａが誘導具の下端面と接し或いは若干離れた位置になるように袋体を垂下してもよい。この垂下状態では、誘導具２６は袋体の開口部３４を開口しても袋体の開口内には挿入された状態となることはないが、誘導具２６の下端開口部は袋体の開口部３４のすぐ上部に位置しているので、容易に被包装物を袋体内へ挿入することができ、しかも係る場合には切込みがない袋体を使用することもできる。
【００３９】
袋体口が開口した状態で、被包装物を誘導具２６の上面開口部へ投入すれば、被包装物（図示省略）は誘導具２６の内周面に沿って落下していき袋体３１内へ挿入される。袋体３１内への被包装物の挿入が完了した後、袋体３１の全体を下方へ引張ると、回転体２９が回転し、この回転に伴って接着部材２９ａから表面側上縁部がスムーズに剥がれるとともに、支持バー２３ａ、２３ａ’が挿通された係止孔３５ａ、３５ａ’の上部から亀裂が生じ、袋保持体２３から袋体３１を離脱させることができる。
【００４０】
図６は、本発明の他の実施形態の包装用補助装置を示す上面図である。
【００４１】
この包装用補助装置２０１は、支柱の上端部に２枚の板体からなる回転自在に取り付けられた取付部材の先端にそれぞれ袋保持体が固定されている点で図１に示されている包装用補助装置２０とは構成が異なっている。したがって、説明を簡略化するために、前記包装用補助装置２０と共通する部分の詳細な説明は省略することとし、異なる構成について詳細に説明する。なお、図面の符号は、前記包装用補助装置２０を説明した符号を一桁上げた数字を使用し、その結果、説明を省略した構成部品の構造及び機能等は、前記包装用補助装置２０の説明から容易に理解できるはずである。
【００４２】
この包装用補助装置２０１は、基台２１１に立設された支柱２２１の上端部に２枚の板体からなる取付部材２４１、２４２が回動自在に固定され、各取付部材の先端にそれぞれ袋保持体２３１〜２３４が固定されている。支柱２２１への取付部材の固定は、既に公知の取付手段、例えば支柱先端に２枚の板体からなる取付部材を回転可能に嵌合したもの、或いはベアリングを介して回転可能に結合したもの等、任意の手段を使用することができる。また、各取付部材の先端に固定される袋保持体２３１〜２３４には、種類或いは大きさの異なる袋体３０１〜３０４を垂下できるように任意の同一乃至大きさの異なる袋保持体が付設される。
【００４３】
取付部材２４１、２４２を回動させ、所定の袋保持体２３１〜２３４を誘導具２７１と対峙させる。この対峙により、開口手段２９１、２９１ａを操作し、前記包装用補助装置で説明した方法により所定の袋体に被包装物を詰める。この実施形態では、取付部材は、２枚の板体であったが、この板体に代えて三角、四角、６角形状等の多角形状の板体、或いは円形状のものを用い、複数の袋保持体を取付けてもよい。
【００４４】
この包装用補助装置によると、垂下できる袋体の枚数を多くでき、また被包装物の種類或いは大きさ等が異なる場合でも、袋体保持体に垂下されている袋体を増やしたり、他の袋体に交換が容易になる。
【００４５】
【発明の効果】
以上述べたように、本発明によれば、誘導具を固定したままでも袋体口を極めて簡単に開口できるだけでなく、誘導具を固定したままでも袋体口を開口するだけで誘導具の下端が袋体の開口内に挿入された状態となしえるので、容易に被包装物を袋体内へ入れられるようにすることができるという優れた効果を奏する。
【図面の簡単な説明】
【図１】本発明の一実施形態の包装用補助装置を示す外観斜視図である。
【図２】図１の包装用補助装置に使用される袋体を示す正面図である。
【図３】図１の包装用補助装置を正面からみた正面図である。
【図４】図１の包装用補助装置を側面からみた袋体口を開口する状況を説明する側面図である。
【図５】図１の包装用補助装置を正面からみた袋体口を開口する状況を説明する正面図である。
【図６】本発明の他の実施形態の包装用補助装置を示す上面図である
【図７】従来技術を示す外観斜視図である。
【符号の説明】
２０、２０１　包装用補助装置
２１　　基台
２２　　支柱
２３　　取付部材
２６　　誘導具
２７　　アーム
２８　　支持部材
２９　　回転体
２９ａ　粘着部材
３０　　包装用袋
３１　　袋体
３２　　表側生地体
３２ｂ　切欠き部
３２ｃ　切欠き部下端
３３　　裏側生地体
３４　　開口部
【図１】
2004106875.tif 000003
【図２】
2004106875.tif 000004
【図３】
2004106875.tif 000005
【図４】
2004106875.tif 000006
【図５】
2004106875.tif 000007
【図６】
2004106875.tif 000008
【図７】
2004106875.tif 000009